(57)【要約】【課題】本発明は、構造が簡単で、電池を交換する必要がなく、しかも日付表示が可能な蓋を提供する。【解決手段】  本発明の日付表示可能な蓋は、平板状のカバープレート２を備える。カバープレート２は、複数の貫通孔によって形成された数字パターンが設けられている少なくとも１つの設置区域２１を含む。設置区域２１には、複数の数字表示ユニット３１〜３４を有する日付表示手段３が設けられている。各数字表示ユニット３１〜３４は、各貫通孔をそれぞれ覆う複数の遮蔽膜３１１を有する。各遮蔽膜３１１は、対応する貫通孔から上方に突出する突出状態になるか、或いは貫通孔から下方に凹陥する凹陥状態になるように湾曲可能な状態に構成されている。複数の遮蔽膜３１１の凹凸状態を変化させることにより、色々な数字パターンを形成し、この数字パターンで所望の日付を表示する。【選択図】  図１
2016008087.tif 000002
【特許請求の範囲】
【請求項１】
容器の開口部に装着され、かつ平板状のカバープレートを備える蓋であって、
前記カバープレートは、複数の貫通孔によって形成された数字パターンが設けられている少なくとも１つの設置区域を有し、
前記設置区域には、複数の数字表示ユニットを有する日付表示手段が設けられており、
各前記数字表示ユニットは、各前記貫通孔をそれぞれ覆う複数の遮蔽膜を有し、
各前記遮蔽膜は、対応する前記貫通孔に相対して上方に突出する突出状態になるか、或いは対応する前記貫通孔に相対して下方に凹陥する凹陥状態になるよう湾曲可能な構造に形成され、
前記複数の遮蔽膜の凹凸状態を変化させることにより色々な前記数字パターンを形成し、かつこの数字パターンで所望の日付を表示する、
ことを特徴とする日付表示可能な蓋。
【請求項２】
各前記遮蔽膜の周縁部は、前記カバープレートの所定の前記貫通孔の周縁に湾曲可能に連結される、
ことを特徴とする請求項１に記載の日付表示可能な蓋。
【請求項３】
前記カバープレートは設置区域を２つ有し、
日付表示手段は、各前記設置区域に１つずつ設けられ、かつ日付表示手段の内第１の日付表示手段で月を表示し、第２の日付表示手段で日を表示し、
前記第１の日付表示手段は２つの数字表示ユニット（第１の数字表示ユニットと第２の数字表示ユニット）を有し、そのうち第１の数字表示ユニットで十の位を表示し、第２の数字表示ユニットで一の位を表示し、
前記第２の日付表示手段は、２つの数字表示ユニット（第３の数字表示ユニットと第４の数字表示ユニット）を有し、そのうち第３の数字表示ユニットで十の位を表示し、第４の数字表示ユニットで一の位を表示する、
ことを特徴とする請求項２に記載の日付表示可能な蓋。
【請求項４】
各前記遮蔽膜は長尺状に形成され、
前記第１の数字表示ユニットの２つの前記遮蔽膜は、間隔を空いて直線状に配置され、
前記第２の数字表示ユニット、前記第３の数字表示ユニット及び前記第４の数字表示ユニットの７つの前記遮蔽膜は、７セグメントディスプレイ状に配置される、
ことを特徴とする請求項３に記載の日付表示可能な蓋。
【請求項５】
各前記遮蔽膜の前記周縁部は、前記カバープレートの貫通孔の周縁に一体に連結される、
ことを特徴とする請求項３又は４に記載の日付表示可能な蓋。
【請求項６】
前記第１の日付表示手段と第２の日付表示手段は可撓性の板状部材により一体に形成されており、
各前記遮蔽膜は各前記貫通孔と対応するように設けられ、前記板状部材は、各前記遮蔽膜の位置と各前記貫通孔の位置が合うように前記カバープレートに接着される、
ことを特徴とする請求項３又は４に記載の日付表示可能な蓋。
【請求項７】
各前記遮蔽膜は長尺状に形成され、遮蔽膜の長さ方向の直交方向に沿う遮蔽膜の断面において、突出状態の遮蔽膜はΛ字状になり、凹陥状態の遮蔽膜はＶ字状になる、
ことを特徴とする請求項２に記載の日付表示可能な蓋。
【請求項８】
前記遮蔽膜の周縁部が前記貫通孔の周縁に連結された箇所が湾曲自在になることを確保するため、前記周縁部における各前記遮蔽膜の厚さを他の部分の厚さより薄くする、
ことを特徴とする請求項２に記載の日付表示可能な蓋。
【請求項９】
各前記遮蔽膜は、突出状態になるとき長さ方向に延伸する直線状の１本の上端折り線と、前記上端折り線の両端から前記上端折り線に傾斜する方向へそれぞれ延伸しかつ前記周縁部まで延伸する４本の側辺折り線とを有する、
ことを特徴とする請求項７に記載の日付表示可能な蓋。
【請求項１０】
カバープレートの周縁部には、容器の開口部に着脱可能な装着部材が前記カバープレートの周縁部と一体に形成されている、
ことを特徴とする請求項１〜９のいずれか一項に記載の日付表示可能な蓋。
【発明の詳細な説明】
【技術分野】
【０００１】
本発明は、保存容器に装着する蓋に関し、特に食品の保存容器に装着すると共に食品の保存期限等を表示可能な日付表示手段付き蓋に関するものである。
【背景技術】
【０００２】
食品保存用容器において、容器内の食品と外部の空気を隔離し、容器内の食品の鮮度を保つため、通常容器内部を密閉するように容器に蓋を装着する。しかし、食品を元の包装容器から保存容器に移して使用する場合、この食品の保存期限を忘れてしまうおそれがある。また、食品が入っている保存容器を冷蔵庫に入れて置く場合、食品をこの保存容器に入れた時間を忘れてしまうおそれがある。その問題を解決するため、保存期限や食品を入れた日付を表示可能な蓋を開発した。
【０００３】
そのような蓋の例としては、例えば使用者が回転させることができる指針と数字板を含み、かつ指針が数字板上の数字を指すことによって日付を表示するものがある。しかし、数字板に多数の数字（例えば１〜１２、１〜３１）を刻印しなければならないので、数字板上の数字が小さくなり、冷蔵庫から容器を出さなければ指針が指す数字を容易に確認することができないので、視認性がよくない。また、視認性を向上させるため、例えば７セグメントディスプレイ状の数字パターン（左右に２本ずつ縦方向に直線状に並んだ計４本の縦線と、これら縦線の間に上中下に１本ずつ横方向に延伸する計３本の横線からなる「８」のパターン）を表示する電子表示部を備えるものを開発したが、そのような蓋は、構造が複雑であり、かつ電池を使用する必要があるので、実用的であるとは言い難い。
【０００４】
更に、食品の保存期限を表示可能な蓋として、特許文献１には、吸盤で電子表示部を筐体に設ける蓋が公開されているが、その電子表示部が電池を使用する必要があるので、利便性がよくない。
【先行技術文献】
【特許文献】
【０００５】
【特許文献１】台湾登録実用新案第Ｍ３８１０９４号明細書
【発明の概要】
【発明が解決しようとする課題】
【０００６】
本発明の目的は、構造が簡単であり、電池を使用する必要がなく、かつ日付の表示が可能な蓋を提供することにある。
【課題を解決するための手段】
【０００７】
上述した問題を解決するため、本発明は、以下のような構成を有する日付表示可能な蓋を提供する。本発明の日付表示可能な蓋は、容器の開口部に装着して用いる蓋であり、平板状のカバープレートを備える。前記カバープレートは、複数の貫通孔によって形成された数字パターンが設けられている少なくとも１つの設置区域を有する。前記設置区域には複数の数字表示ユニットを有する日付表示手段が設けられている。各前記数字表示ユニットは、各前記貫通孔をそれぞれ覆う複数の遮蔽膜を有し、各前記遮蔽膜は、対応する前記貫通孔から上方に突出する突出状態になるか、或いは対応する前記貫通孔から下方に凹陥する凹陥状態になるように湾曲可能な状態に構成されている。前記複数の遮蔽膜の凹凸状態を変化させることにより色々な数字パターンを形成し、かつこの数字パターンで所望の日付を表示する。
【発明の効果】
【０００８】
本発明の日付表示可能な蓋は、使用者が指で遮蔽膜を押し込むことにより、各遮蔽膜の凹凸状態を変化させることができる。かつ各遮蔽膜の凹凸状態を変化させることにより、色々な数字パターンを形成することができるので、簡単な構造であり、電力を使用する必要がない。しかも、各遮蔽膜の凹凸状態を変化させることにより色々な数字パターンを形成するので、日付の表示を容易に確認できる日付表示可能な蓋を獲得することができる。
【図面の簡単な説明】
【０００９】
【図１】本発明に係る日付表示可能な蓋の第１の実施形態を示す斜視図である。
【図２】第１の実施形態の凸膜が突出状態になっていることを示す平面図である。
【図３】図２のIII―III線に沿う断面を示す図である。
【図４】第１の実施形態の一部分の凸膜が凹陥状態になっていることを示す平面図である。
【図５】図４のＶ―Ｖ線に沿う断面を示す図である。
【図６】本発明に係る日付表示可能な蓋の第２の実施形態を示す断面図である。
【発明を実施するための形態】
【００１０】
以下、添付図面を参照しながら、日付表示可能な蓋の各実施形態を詳細に説明する。
【００１１】
＜第１の実施形態＞
図１、図２、図３には、本発明に係る日付表示可能な蓋（以下、「蓋」と略称）の第１の実施形態が示されている。
【００１２】
蓋は、例えば食品が収納された容器１を密閉するため、この容器１の開口部に着脱自在に装着するものであり、容器１の開口部を覆うように矩形の平板状に形成されたカバープレート２と、カバープレート２に設けられている日付表示手段３と、蓋を容器１の開口部に着脱自在に緊密に装着できるようにカバープレート２の周縁部に形成されている装着部材４とを備えている。
【００１３】
本実施形態において、カバープレート２及び装着部材４を例えばゴムやシリコンなどの可撓性材料で形成することができるが、本発明はこれに限定されるものではなく、硬質の材料で形成してもよい。また、カバープレート２及び装着部材４を一体に形成することができるが、他の実施例において、両者を別々に形成した後、一体に接続してもかまわない。
【００１４】
カバープレート２には、日付表示手段３をそれぞれ取り付けるための２つの設置区域２１が設けられている。各設置区域２１には複数の直線状の貫通孔２１１が形成され、各貫通孔２１１はカバープレート２を貫通するように設けられている。それら貫通孔２１１により、各設置区域２１に２つの数字パターンが形成される。以下、貫通孔２１１の態様を詳述する。
【００１５】
図１、図２に示されるとおり、２つの設置区域２１はカバープレート２の長さ方向（横方向）に並列している。左側の設置区域２１の左側における２つの貫通孔２１１は、間隔を空けかつ縦方向の直線に沿う「１」のパターンを形成するように配置されている。左側の設置区域２１の右側と、右側の設置区域２１’の左右両側とには、２１個の貫通孔２１１が７つずつ形成されている。２１個の貫通孔２１１は、各７つの貫通孔２１１で１つの「８」のパターンを形成する（即ち、計３つの「８」のパターンを形成する）ようにそれぞれ７セグメントディスプレイ状に配置されている。即ち、左右に並列する２つの設置区域２１において、各貫通孔２１１は、平面図が「１８８８」である４つの数字パターンを形作るように配置されている。
【００１６】
設置区域２１の具体的な数量は、表示したい日付の桁数などによって増減することができ、上述した実施例に限定されるものではない。貫通孔２１１の具体的な態様も上述した実施例に限定されるものではない。例えば、他の実施例において、貫通孔２１１の形状を直線状にせず、円弧状にすることもできる。また、全ての設置区域２１に「８８」のパターンが形成されるように各貫通孔２１１を配置してもよいが、本発明はこれに限定されるものではない。
【００１７】
本実施例において、日付表示手段３は、各設置区域２１に１つずつ設けられており、かつ４つの数字表示ユニット３１、３２、３３、３４を有する。以下、図面の左側の設置区域２１（貫通孔によって「１８」の数字パターンが形成される側）に設けられた２つの数字表示ユニットを第１の数字表示ユニット３１及び第２の数字表示ユニット３２にし、この第１の数字表示ユニット３１及び第２の数字表示ユニット３２を含む日付表示手段を第１の日付表示手段３にする。また、図面の右側の設置区域２１’（貫通孔によって「８８」の数字パターンが形成される側）に設けられた２つの数字表示ユニットを第３の数字表示ユニット３３及び第４の数字表示ユニット３４にし、この数字表示ユニット３３及び第４の数字表示ユニット３４を含む日付表示手段を第２の日付表示手段３’にする。
【００１８】
第１〜第４の数字表示ユニット３１、３２、３３、３４がそれぞれ設けられる設置区域２１、２１’において、各貫通孔２１１に対応する箇所には複数の遮蔽膜３１１が設けられている。遮蔽膜３１１の数量は貫通孔２１１の数量と対応する。本実施形態の第１の数字表示ユニット３１は２つの遮蔽膜３１１を有し、第２〜第４の数字表示ユニット３２、３３、３４はそれぞれ７つの遮蔽膜３１１を有する。
【００１９】
上述した第１の日付表示手段３と第２の日付表示手段３’（即ち、本実施形態の各遮蔽膜３１１）は、例えばゴムやシリコンなどの可撓性材料で形成される。
【００２０】
各遮蔽膜３１１の形状は、各貫通孔２１１と対応するように長手状に形成され、各遮蔽膜３１１の周縁部３１２は、カバープレート２の貫通孔２１１の周縁２１２に湾曲可能に一体に連結されている。即ち、各遮蔽膜３１１はそれぞれ各貫通孔２１１上に覆われている。各貫通孔２１１の配置と同様に、第１の数字表示ユニット３１の２つの遮蔽膜３１１は、間隔を空けてかつ縦方向の直線に沿う１つの「１」のパターンを形成するように配置されており、第２〜第４の数字表示ユニット３２、３３、３４の複数の遮蔽膜３１１は、７つの遮蔽膜３１１で１つの「８」のパターンを形成する７セグメントディスプレイ状に配置されている。
【００２１】
上述したとおり、各遮蔽膜３１１は可撓性材料で形成され、各遮蔽膜３１１の周縁部３１２は対応する貫通孔２１１の周縁２１２に湾曲自在に連結されている。それにより、遮蔽膜３１１は対応する貫通孔２１１から上方（容器１から離れる方向）に突出する突出状態になるか、或いは対応する貫通孔２１１から下方（容器１に向かう方向）に凹陥する凹陥状態になることができる。
【００２２】
遮蔽膜３１１の周縁部３１２が貫通孔２１１の周縁２１２に連結された箇所が湾曲自在になることを確保するため、各遮蔽膜３１１の湾曲部分の厚さをカバープレート２の各設置区域２１に連結された部分の厚さより薄くするとともに、周縁部３１２の他の部分における部分の厚さより薄くしたことがよい。
【００２３】
各遮蔽膜３１１の長さ方向の直交方向に沿う遮蔽膜３１１の断面を示す図３及び図５に示されるとおり、突出状態の遮蔽膜３１１はΛ字状になり、凹陥状態の遮蔽膜３１１はＶ字状になる。図１及び図２に示されるとおり、各遮蔽膜３１１は、突出状態になるとき長さ方向に延伸する直線状の１本の上端折り線３１３と、上端折り線３１３の両端から上端折り線３１３に傾斜する方向へそれぞれ延伸しかつ周縁部３１２まで延伸する４本の側辺折り線３１４とを有する。
【００２４】
上述した構造により、周縁部３１２は各遮蔽膜３１１の折れ目になる。各遮蔽膜３１１が上述した突出状態又は凹陥状態になるとき、１本の上端折り線３１３と４本の側辺折り線３１４とにより、折れ目の平面図は「＞―＜」の形状になる。本発明に係る日付表示可能な蓋は、各遮蔽膜３１１の凹凸状態をそれぞれ変化させることにより、各設置区域２１の貫通孔２１１に形成された数字パターンを変化させることができる。かつ、これら数字パターンにより、容器１内の食品の保存期限や容器１内に食品を入れた日付などの所望の日付を表示することができる。
【００２５】
本実施形態において、第１の日付表示手段３で月（１〜１２月）を表示することができ、第２の日付表示手段３’で日（１〜３１日）を表示することができる。すなわち、第１の日付表示手段３の第１の数字表示ユニット３１により月の十の位が、第２の数字表示ユニット３２により月の一の位が、第２の日付表示手段３’の第３の数字表示ユニット３３により日の十の位が、第４の数字表示ユニット３４により日の一の位が表示される。
【００２６】
以下、日付表示を設定する方法を説明する。
【００２７】
図４は、日付表示手段３、３’の日付表示用数字パターンが「１２３０」（１２月３０日）になっていることを示す平面図であり、図５は図４のＶ−Ｖ線に沿う断面を示す図である。日付を設定するとき、表示しようとする日付に応じて、一部分の遮蔽膜３１１をカバープレート２の上面側から押し込むことにより、一部分の遮蔽膜３１１を凹陥状態にすることでができる。すると、上記突出状態のままの複数の遮蔽膜３１１と、上記凹陥状態になった複数の遮蔽膜３１１とによって、所望の数字パターンが形成される。例えば、図４の「１２３０」という数字パターンを表示する場合、第２の数字表示ユニット３２の左上及び右下にある２つの遮蔽膜３１１を凹陥状態に、第３の数字表示ユニット３３の左上及び左下にある２つの遮蔽膜３１１を凹陥状態に、第４の数字表示ユニット３４の真ん中にある１つの遮蔽膜３１１を凹陥状態にするこれにより、「１２３０」の数字パターンを表示することができる。すなわち、各遮蔽膜３１１の凹凸状態を変化させるにより「１２３０」の数字パターンを表示することができる。日付表示手段の設定をクリアする場合、凹陥状態になった各遮蔽膜３１１をカバープレート２の下面側から押し出すことにより、日付表示手段を突出状態に戻すことができる。
【００２８】
上述した実施例において、上端折り線３１３及び側辺折り線３１４で各遮蔽膜３１１の折れ目を構成し、かつ各遮蔽膜３１１の状態を変化させることにより色々な数字パターンを構成してきたが、本発明はこれに限定されるものではない。他の実施例において、上端折り線３１３や側辺折り線３１４を設けなくてもよい。また、上述した実施例において、突出状態の遮蔽膜３１１で数字パターンを形成してきたが、他の実施例において、凹陥状態の遮蔽膜３１１で数字パターンを形成してもよい。
【００２９】
＜第２の実施形態＞
図６は、本発明に係る日付表示可能な蓋の第２の実施形態を示す断面図である。本実施形態と第１の実施形態との間の相違点は、日付表示手段３の構成が異なることにある。本実施形態において、第１の日付表示手段３と第２の日付表示手段３’とは、例えばゴムやシリコン等の可撓性の板状部材で一体に形成され、各遮蔽膜３１１は、各貫通孔２１１と対応するようにこの板状部材の所定の位置に設けられている。遮蔽膜３１１が設けられる板状部材は、各遮蔽膜３１１の位置と各貫通孔２１１の位置とが合うようにカバープレート２上に接着される。
【００３０】
即ち、第１の実施形態においては、図５に示されるとおり、カバープレート２と日付表示手段３とが一体に形成され、各遮蔽膜３１１は貫通孔２１１の周縁２１２から延伸しているが、第２の実施形態においては、図６に示されるとおり、カバープレート２と日付表示手段３とが別々に形成され、各遮蔽膜３１１は日付表示手段３を構成する板状部材に予め設けられている。
【００３１】
本実施形態においても、各遮蔽膜３１１は、対応する貫通孔２１１に相対して突出状態又は凹陥状態（図６において破線で示す状態）になるように湾曲自由な構造に構成されている。
【００３２】
上述したとおり、本発明の日付表示可能な蓋は、指で各遮蔽膜３１１の凹凸状態を変化させることにより、色々な数字パターンを表示することができる。したがって、本発明の日付表示可能な蓋は、簡単な構造であり、電力を使用する必要がなく、繰り返し使うことができるという利点を有している。また、日付表示手段３は各遮蔽膜３１１の凹凸状態を変化させることにより数字パターンを形成するものであり、日付表示手段３をカバープレート２の全面に形成することができる。例えば、第１の実施形態の構成を採用する場合、４桁の数字パターンをカバープレート２の全面に形成して表示することができるので、日付表示可能な蓋上の日付表示を容易に確認することができる。したがって、冷蔵庫に入れた本発明の容器１を冷蔵庫の外から見る場合でも、日付表示可能な蓋上の日付を容易に判別することができる。
【００３３】
以上、本発明の好ましい実施形態を説明してきたが、本発明はそれらに限定されるものではなく、その本発明の要旨を逸脱しない範囲の種々変更があっても当然に発明に含まれる。  
【００３４】
例えば、上述した実施形態において、設置区域及び日付表示手段を２つずつ設け、４桁の数字パターンを表示可能な数字表示ユニットを４つ設けてきたが、本発明はそれに限定されるものではない。例えば、他の実施例において、設置区域及び日付表示手段を１つずつ設け、２桁の数字パターンを表示可能な数字表示ユニットを２つ設けてもよい。或いは、他の実施例において、より多い桁の数字パターンを表示可能な構造に変更してもよい。
【産業上の利用可能性】
【００３５】
本発明に係る日付表示可能な蓋は、食品などのような保存期限を有する物を保存するための容器の蓋として利用することができる。
【符号の説明】
【００３６】
１  容器
２  カバープレート
２１、２１’  設置区域
２１１  貫通孔
２１２  周縁
３、３’  日付表示手段
３１〜３４  数字表示ユニット
３１１  遮蔽膜
３１２  周縁部
３１３  上端折り線
３１４  側辺折り線
４  装着部材
【図１】
2016008087.tif 000003
【図２】
2016008087.tif 000004
【図３】
2016008087.tif 000005
【図４】
2016008087.tif 000006
【図５】
2016008087.tif 000007
【図６】
2016008087.tif 000008